(57)【要約】      （修正有）【課題】使用目的に合わせ、適合する布を選択し、又、使用する装飾用パーツの種類や量、形等に合わせ、適切な大きさ、適切な形状とした、包囲形装飾用パーツ受けを提供する。【解決手段】使用目的に合わせ、あらゆる布の中から適合する布を選択し、布のバイアスに伸縮する性質を利用して、折り目の両端双方を、末端に向け内側に巻き込み、弧形を形成しながら包囲し、巻き込んだ両端と残りの末端を含む全ての端をひとつに束ね、適切な大きさ、適切な形状に形成する。使用する装飾用パーツ類やビーズ類をより美しく引き立たせ、様様な用途の装身具や装飾用品として使用出来るようにする。【選択図】図１
0003181500.tif 000002
【実用新案登録請求の範囲】
【請求項１】
バイアスに折った、１枚〜複数枚重ねた布の折り目の両端を内側に巻き込み弧形を形成しながら包囲し、巻き込んだ両端と残りの末端を含む全ての端をひとつに束ねたところを特徴とした包囲形装飾用パーツ受け
【請求項２】
請求項１に記載の包囲形装飾用パーツ受けの中心から周囲に向け広げて形成した、さらに型押しを施し形成したところを特徴とした包囲形装飾用パーツ受け
【請求項３】
請求項１及び、請求項２に記載の包囲形装飾用パーツ受けにあらゆる種類の装飾用パーツ、ビーズ類、パール、クリスタル、宝石類、装飾用フラワー、造花類を、中心に軸として加える他、周囲に配置して形成したところを特徴とした包囲形装飾用パーツ受け
【請求項４】
請求項１及び、請求項２、請求項３に記載の包囲形装飾用パーツ受けに柄を付け加えたところを特徴とした包囲形装飾用パーツ受け
【請求項５】
請求項１及び、請求項２、請求項３、請求項４に記載の包囲形装飾用パーツ受けを連結や複数を組み合わせ形成したところを特徴とした包囲形装飾用パーツ受け
【考案の詳細な説明】
【技術分野】
【０００１】  本考案は布を使用して形成した装飾用品に関するものである。
【背景技術】
【０００２】  従来、装身具又は装飾用品の一部として使われる装飾用パーツ等やビーズ類を受けるベースは金属製や、プラスチック製の物が多い。
【考案の概要】
【考案が解決しようとする課題】
【０００３】  従来の装飾用パーツやビーズ類を受けるベースは、金属製、プラスチック製が多く、柔軟性がなく、使用出来るパーツの種類や量が限られ、固定された型、形状でその用途も限られていた。使用目的に合わせて、又、使用するパーツの種類や量、形、色等に合わせて適切な大きさ、適切な形状の装飾用品を作りたい。
【課題を解決するための手段】
【０００４】  本考案は、使用目的に合わせ、あらゆる素材、あらゆる色柄の布の中から適合する布を選択し、使用する装飾用パーツの種類や量、形、色等により、選択した布で大きさを加減しつつ布のバイアスに伸縮する性質を利用して弧形を形成しながら包囲する事で適切な大きさに形成する。周囲に向け広げたり、さらに型押しを施したり、複数を組み合わせたり、持ち手となる柄を付け加える事等で適切な形状に形成し、様様な用途の装身具や装飾用品として使用出来るようにする。
【考案の効果】
【０００５】  使用目的に合わせ、また、使用する装飾用パーツやビーズ類に合わせて、包囲する布を選択し、適切な大きさと形状に形成する事で様様な用途の装身具や装飾用品として使用可能になる。布を布目に対してバイアスに折る事で折り目にバイアス性質による伸縮性が生じるため、折り目の両端を内側に巻きこむ事により安易に弧形が形成され、弧形を保持しながら包囲する事が出来る。周囲に向け広げた場合にも布のバイアスに伸縮する性質により自然に弧形が形成される。
包囲する布の種類を選択する事で使用する装飾用パーツやビーズ類をより美しく引き立たせる効果がある。
【図面の簡単な説明】
【０００６】
【図１】形成した本考案の包囲形装飾用パーツ受けの実施例を示す正面図
【図２】バイアスに折った布を示す正面図
【図３】ａ  形成した本考案の包囲形装飾用パーツ受けに装飾用パーツ及びビーズ類やパールを加えた実施例を示す断面図  ｂ  本考案の包囲形装飾用パーツ受けに柄を付け加えた実施例を示す正面図  ｃ  形成した本考案の包囲形装飾用パーツ受けを複数組み合わせた実施例を示す正面図
【考案を実施するための形態】
【０００７】  布を布目に対してバイアスに折る事で折り目に伸縮性が生じ、折り目の両端を内側に巻きこむ事により、弧形が形成され、双方が接触するまでさらに巻きこむ事により弧形を保持しながら包囲する事が出来る。巻き込んだ両端と残りの末端を含む全ての端をひとつに束ねる。
伸縮性のある素材が好ましいが、薄い布、厚い布、柔らかい布、張りのある布、ネット状の布、リボン、レース等、あらゆる素材、あらゆる色柄の布を選択し、使用する装飾用パーツやビーズ類の種類や量、形、色等に合わせ、それらを包囲する。大きさを加減しながら包囲する事で適切な大きさに形成する。束ねた箇所の中心から周囲に向け広げて形成する。さらに使用目的により、型押しを施す。連結や、複数の組合せ、柄を付け加える等適切な形状に形成し、様様な装飾用品として使用可能となる。
形成した包囲形装飾用パーツ受けはブローチ台、リング台、コサージュクリップ等の既成のベースとなる物に取り付ける他、装飾したい物に直接固定して使用する。
【実施例１】
【０００８】  以下、添付図面に従って実施例を説明する。１枚〜複数枚重ねた布を、布目に対してバイアスに折り（図２の（１））、折り目の両端（２、２’）双方を、末端（３）に向け内側に巻き込み、双方が接触するまで弧形を形成しながら包囲し、巻き込んだ両端（２、２’）と末端（３）を含む全ての端をひとつに束ねる。
【実施例２】
【０００９】  形成した本考案の包囲形装飾用パーツ受けの、束ねた箇所の中心から周囲に向け広げて形成し、さらに使用目的により、折り目の中央となっていた部分（４）に型押しを施し形成した実施例（図１）
【実施例３】
【００１０】  包囲形装飾用パーツ受けを形成する過程で、あらゆる種類の装飾用パーツ及びビーズ類、パール、クリスタル、宝石類、装飾用フラワー、造花類、をテグスやワイヤー等に通したりそれら土台となる支えに固定した物（５）を、中心に軸として加える他、周囲に配置し束ね形成した実施例（図３ａ）
【実施例４】
【００１１】  形成した包囲形装飾用パーツ受けに、柄（６）を付け加える事で持ち手の付いた装飾用品としても使用出来るようにした実施例（図３ｂ）
【実施例５】
【００１２】  形成した各包囲形装飾用パーツ受けを連結や複数を組み合わせ形成した実施例（図３ｃ）
【実施例６】
【００１３】  バイアスに折った布を複数枚重ねて形成した包囲形装飾用パーツ受けの実施例（図示せず）
【実施例７】
【００１４】  異素材をバイアスに折った布と重ねて形成した包囲形装飾用パーツ受けの実施例（図示せず）【００１５】  本考案は上記の様に、使用する布を選択し、使用目的に合わせた実施をする事でコサージュやヘアオーナメント、ブローチ、ネックレスのパーツ、等のアクセサリーとしての用途は勿論、ブーケ、バック、洋服、礼服、和服の装飾等、又それらに関連する様様な用途の装身具や、装飾用品に使用する事が可能になる。
【符号の説明】
【００１６】  １  バイアスに折った布
２  折り目の端
２’折り目の端
３  末端
４  折り目の中央
５  装飾用パーツ及びビーズ類
６  柄
【図１】
0003181500.tif 000003
【図２】
0003181500.tif 000004
【図３】
0003181500.tif 000005
【手続補正書】
【提出日】平成24年10月29日(2012.10.29)
【手続補正１】
【補正対象書類名】実用新案登録請求の範囲
【補正対象項目名】全文
【補正方法】変更
【補正の内容】
【実用新案登録請求の範囲】
【請求項１】
バイアスに折った、１枚〜複数枚重ねた布の折り目の両端を内側に巻き込み弧形を形成しながら包囲し、巻き込んだ両端と残りの末端を含む全ての端をひとつに束ねたところを特徴とした包囲形装飾用パーツ受け
【請求項２】
請求項１に記載の包囲形装飾用パーツ受けの中心から周囲に向け広げて形成した、さらに型押しを施し形成したところを特徴とした包囲形装飾用パーツ受け
【請求項３】
請求項１又は請求項２に記載の包囲形装飾用パーツ受けにあらゆる種類の装飾用パーツ、ビーズ類、パール、クリスタル、宝石類、装飾用フラワー、造花類を、中心に軸として加える他、周囲に配置して形成したところを特徴とした包囲形装飾用パーツ受け
【請求項４】
請求項１〜３のいずれか一つに記載の包囲形装飾用パーツ受けに柄を付け加えたところを特徴とした包囲形装飾用パーツ受け
【請求項５】
請求項１〜４のいずれか一つに記載の包囲形装飾用パーツ受けを連結や複数を組み合わせ形成したところを特徴とした包囲形装飾用パーツ受け
【手続補正２】
【補正対象書類名】図面
【補正対象項目名】全図
【補正方法】変更
【補正の内容】
【図１】
0003181500.tif 000006
【図２】
0003181500.tif 000007
【図３】
0003181500.tif 000008